(57)【要約】【課題】カップ麺の容器蓋が開かないように押える蓋押え具として利用することができ、箸が置かれた状態では箸に付いた汁等の液体を受ける汁受けとして、更には広告宣伝等としても使用することができるカップ麺の蓋押え兼箸置きを提供する。【解決手段】カップ麺の容器Ｂ開口縁部B-1と同縁部に連なる容器壁面B-2形状に沿わして容器Ｂ開口縁の一部に宛がわれるブロック形状に本体部Ａを形成する。本体部Ａの容器Ｂに宛がわれる内面側には開口縁部B-1に沿わせて嵌め込み係合させる係合溝１と容器壁面B-2に密接沿わせて宛がう宛て部２とを備えたことにある。【選択図】図１
0003102075.tif 000002
【実用新案登録請求の範囲】
【請求項１】
本体部が、カップ麺の容器開口縁部と同縁部に連なる容器壁面形状に沿わして容器開口縁の一部に宛がわれる程度の大きさを有するブロック形状と成し、容器に宛がわれる内面側に前記開口縁部の平面円弧に沿わせて嵌め込み係合させる係合溝と前記容器壁面に密接状に沿わせて宛がう宛て部とを備え、
更に、本体部の上面が容器蓋面と平行と成し、該上面から少なくとも直角に背面が連設されてなることを特徴とするカップ麺の蓋押え兼箸置き。
【考案の詳細な説明】
【技術分野】
【０００１】
本考案は、箸置き兼カップ麺の蓋押え具に係り、詳しくはカップ麺の容器蓋を、同蓋縁に備えられている開封片から開けて容器内にお湯を注ぎ込んだ後に、同開封部分が開かないように容器の開口縁部を利用して押さえたり、或いは麺を食べるときに使用する箸やホーク等を置くための箸置きとしても使用することができる箸置き兼カップ麺の蓋押え具に関する。
【背景技術】
【０００２】
従来、お湯を注ぎ込むために開けたカップ麺の容器蓋が数分間開かないように蓋を押える蓋押えが存在していないために、お皿やその他適当な物を蓋の上に載せて蓋が開かないように押さえ込んでいるのが現状である。
カップ麺は、手軽に食べられる食品として各食品販売店やその他の販売代理店（スーパー、コンビニエンスストアチェーン等）において販売されているが、特に野外において容器内にお湯を注ぎ込んで蓋が開かないように押える適当なものが無かった場合、蓋を手で数分間押え続けなければならなかった。
【０００３】
一方、箸置きとしては、箸載せ面（表面）を長さ方向に緩やに湾曲させたブロック形状に作られたもの、或いは中実ブロック形状を利用してその長さ方向に一対の箸を保持させる貫通孔を設けた箸置きが知られている（特許文献１）。
また、上記貫通孔の一端開口を大きく、他端開口に至るほど小さく形成することで、貫通孔を一対の箸を揃えた太さ（孔形）に合わせてなる箸置きが知られている（特許文献２）。
【０００４】
ところで、上記した特許文献１、２は、不使用時には一対の箸を保持孔に挿入させて保持させることができることで、一対の箸が他の箸と混じり合うことなく保管し得る利点はある。しかし乍ら、箸が置かれた状態では、その先端部側から手に取る後端側の把持部に向って下向き傾斜状とされるため、先端部側に付いた汁等の液体が、把持部側に伝わってきてしまうこととなり、当該把持部が汚れたり、テーブルを汚す等の衛生上望ましくない不具合があった。
【０００５】
【特許文献１】実開昭６３−２５０６２号
【特許文献２】実開平２−８４５６４号
【考案の開示】
【考案が解決しようとする課題】
【０００６】
本考案が解決しようとする課題は、箸置きとしての使用は勿論、カップ麺の容器蓋が開かないように容器の開口縁部を利用して押える蓋押え具として利用することができ、箸が置かれた状態では箸に付いた汁等の液体を受ける汁受けとして、更には広告宣伝等としても使用することができるカップ麺の蓋押え兼箸置きを提供することにある。
【課題を解決するための手段】
【０００７】
上記課題を解決するために本考案は、請求項１は、本体部が、カップ麺の容器開口縁部と同縁部に連なる容器壁面形状に沿わして容器開口縁の一部に宛がわれる程度の大きさを有するブロック形状と成し、容器に宛がわれる内面側に前記開口縁部の平面円弧に沿わせて嵌め込み係合させる係合溝と前記容器壁面に密接状に沿わせて宛がう宛て部とを備え、更に、本体部の上面が容器蓋面と平行と成し、該上面から少なくとも直角に背面が連設されてなることを特徴とするカップ麺の蓋押え兼箸置きにある。
また、上記係合溝を、溝方向中央部位において又は同溝中央部位に向けて両側の溝開口部から漸次溝深状に形成することが好適なものとなる。
又、本体部の上面部や背面部等に印刷や貼り付け等により宣伝用のメッセージ等を設けるようにすることが好適なものとなる。
【考案の効果】
【０００８】
本考案のカップ麺の蓋押え兼箸置きによれば、お湯を注ぎ込むために開けた容器蓋の開封片部を容器開口縁部に巻き付けるように折り曲げた後に、当該開封片部を挟み保持するように本体部の係合溝を容器開口縁部に嵌め合わせて本体部を装着することで、開封片部を開口縁部と本体部の係合溝との間で挟み込み保持することができる。この時、本体部は容器開口縁部に対する係合溝の嵌め合いに加えて宛て部が容器壁面に密接状態に宛がわれていることで、脱落することなく容器開口縁に装着保持される。これにより、麺が出来上がる数分間において容器蓋を押える蓋押え具として使用することができる。
一方、麺が出来上がり、容器蓋を開けて食べる際の箸置きとして使用する場合には係合溝、宛て部を有する本体部の内面側を上向きにしてテーブル等の食卓上に置くことで、箸置きとして使用することができる。箸を置く場合には係合溝から上向きに傾斜する宛て部の頂部側に箸の先端部側が載るように置く。すると、容器壁面形状に沿って湾曲する宛て部によって箸の転がり防止が図れると共に、箸に付いている汁等の液体は宛て部から係合溝へと流れ落ちることになる。従って、汁等を受ける汁受け具として使用することができる。
従って、箸の先端部に付いている汁等の液体が後端側の把持部へと伝わることが無くなり、衛生的にも有利な箸置きとして使用することができる。
【０００９】
また、本体部の上面部や背面部等に印刷や貼り付け等によりメッセージ等を設けることで、広告宣伝等に役立つこととなり、箸置きに加えて宣伝用としても有効に利用することができる。
【考案を実施するための最良の形態】
【００１０】
本体部を、カップ麺の容器開口縁部と同縁部に連なる容器壁面形状に沿わして容器開口縁の一部に宛がわれる程度の大きさを有するブロック形状に形成する。例えば、容器蓋に備えられている開封片を大きさに相当するブロック形状に本体部を形成する。
そして、本体部の容器に宛がわれる内面側にカップ麺の容器開口縁部の平面円弧に沿わせて嵌め込み係合させる係合溝と容器壁面に密接状に沿わせて宛がう宛て部とを備えたものとする。
また、容器蓋面と平行とする本体部の上面又は該上面から少なくとも直角に連設させた背面に印刷や貼り付け等により宣伝用のメッセージを設けたものとする。
【実施例１】
【００１１】
本考案の実施の具体例を図面に基づいて説明する。
図面は本考案のカップ麺の蓋押え兼箸置きの実施形態の一例を示し、本体部Ａは、カップ麺の容器Ｂ開口縁の一部に沿わせて宛がうように装着する適宜大きさのブロック形状に形成され、容器Ｂの開口縁部B-1に沿わせて嵌め込み係合させる係合溝１と容器壁面B-2に密接させて宛がう宛て部２とを備えてなる。
【００１２】
本体部Ａの材質として特に限定されるものではないが、例えば容器Ｂと同じ発泡材を用いて形成することで、容器Ｂと同じく使い捨てにしたり、或いは繰り返し使用し得るように合成樹脂材等の適宜の材料を用いて成形する等が好適なものとなる。
そして、容器蓋B-3の円周縁部に備えられている開封片部B-30の突出幅に相当する長さを有するブロック形状に形成すると共に、容器Ｂに宛がわれた状態での上面部A-1を容器蓋B-3面と平行と成し、該上面部A-1から直角に連設させた背面部A-2を設けることで、容器Ｂに宛がわれる内側面を底面部A-3側から上面部A-1に向けて漸次傾斜させた縦断略台形状としてなる（図３参照）。
【００１３】
係合溝１は、お湯が容器Ｂ内に注ぎ込まれた後に開口縁部B-1に巻き付けれるように折り込まれる容器蓋B-3の開封片部B-30を、当該縁部B-1に止めるべく同縁部B-1に嵌め込み係合されるもので、本体部Ａの上面部A-1から適宜の厚さをおいて本体部Ａの長手方向内側面に形成される。
【００１４】
宛て部２は、係合溝１が開口縁部B-1に嵌め合わせ係合せしめる本体部Ａの容器Ｂに対する装着状態において、本体部Ａが不要に脱落しないように容器壁面B-2への密接により保持する役目を成すもので、該壁面B-2の高さ方向と円周方向の湾曲形状に合致させた略湾曲面形状に形成されてなる。
【００１５】
また、本例においては図１に例示したように、本体部Ａの上面部A-1や背面部A-2等に印刷や貼り付け等により宣伝用のメッセージや商品キャラクター３等を設けることで、広告宣伝等に役立つようにしてある。
【００１６】
次に、以上の如く構成されたカップ麺の蓋押え兼箸置きの使用法について簡単に説明する。
まず始めに、カップ麺の蓋押えとして使用する場合には図１（ｂ）、図２及び図３に示すように、お湯を注ぎ込むために開けた容器蓋B-3の開封片部B-30を開口縁部B-1に巻き付けるように折り曲げた後に、当該開封片部B-30を挟み保持するように本体部Ａの係合溝１を容器Ｂの開口縁部B-1に嵌め合わせて本体部Ａを装着する。これにより、容器蓋B-3の開封片部B-30は開口縁部B-1と本体部Ａの係合溝１との間で挟み込み保持されることで、麺が出来上がる数分間において容器蓋B-3を押える。
この時、本体部Ａは容器Ｂの開口縁部B-1に対する係合溝１の嵌め合いに加えて宛て部２が容器壁面B-2に密接状態に宛がわれていることで、脱落することなく容器Ｂに安定よく装着保持される。これにより、麺が出来上がる数分間において容器蓋B-3を押える蓋押え具として使用することができる。
【００１７】
一方、麺が出来上がり、容器蓋B-3を開けて食べる際の箸置きとして使用する場合には図５に示すように、係合溝１、宛て部２を有する本体部Ａの内面側を上向きにしてテーブル等の食卓上に置くことで、箸置きとして使用することができる。
箸Ｃを置く場合には係合溝１から上向きに傾斜する宛て部２の頂部2-1側に箸Ｃの先端部側が載るように置くことで、湾曲する宛て部２によって箸Ｃの転がり防止が図れると共に、箸Ｃに付いている汁等の液体は宛て部から係合溝へと流れ落ちることになる。これにより、箸Ｃの先端部C-1に付いている汁等の液体が後端側の把持部C-2へと伝わることが無くなり、衛生的にも有利な箸置きとして使用することができる。
【実施例２】
【００１８】
本体部Ａの内側面に設けた係合溝１は、図４に例示したように、溝方向中央部位において又は同溝中央部位に向けて両側の溝開口部から漸次溝深状に形成する。つまり、容器Ｂの開口縁部B-1の突出高よりも深溝にする等の工夫を備えることで、汁等を溢すことが無い必要十分な汁受け容量を確保することができる。
【図面の簡単な説明】
【００１９】
【図１】本考案カップ麺の蓋押え兼箸置きの実施形態の一例を示し、（ａ）は斜視図、（ｂ）はカップ麺の容器に宛がうように装着した蓋押え具としての使用状態を示す斜視図
【図２】容器に宛がうように装着した使用状態の平面図で、一部を切欠して示す
【図３】図２のIII−III線縦断面図
【図４】箸置きとしての使用時において箸の先端部に付いた汁等の液体を受ける係合溝の溝深さを変えた他の実施形態を示す横断平面図
【図５】箸置きとしての使用状態を示し、（ａ）は斜視図、（ｂ）は同縦断面図、（ｃ）は箸に替えてスプンやホークを置いた例を示す同縦断面図
【符号の説明】
【００２０】
Ａ：本体部        A-1：上面部
A-2：背面部        A-3：底面部
１：係合溝         ２：宛て部
Ｂ：容器          B-1：開口縁部
B-2：容器壁面      B-3：容器蓋
Ｃ：箸
【図１】
0003102075.tif 000003
【図２】
0003102075.tif 000004
【図３】
0003102075.tif 000005
【図４】
0003102075.tif 000006
【図５】
0003102075.tif 000007